(57)【特許請求の範囲】
【請求項１】
蓄電池の充放電に対するインセンティブの情報を含むデマンドレスポンス情報を用いない状態での、予め決められた複数の需要家が属するコミュニティにおける第１の翌日の電力需要予測を取得し、前記第１の翌日の電力需要予測及び前記コミュニティにおける翌日の蓄電池の充放電計画を基に第２の翌日の電力需要予測を求め、求めた前記第２の翌日の電力需要予測から前記コミュニティの翌日の負荷率を算出する処理を行う負荷率算出部と、
前記負荷率算出部により求められた最新の第２の翌日の電力需要予測を基に前記デマンドレスポンス情報を作成する情報作成部と、
前記情報作成部により作成された最新の前記デマンドレスポンス情報を基に作成された前記翌日の蓄電池の充放電計画を取得し前記負荷率算出部へ送信する取得部と、
前記負荷率算出部が前記処理を所定回数繰り返した後に、前記処理毎に前記情報作成部が作成した前記デマンドレスポンス情報の中からデマンドレスポンス情報を抽出し各前記需要家に通知する通知部と
を備えたことを特徴とする電力需要調整装置。
【請求項２】
前記通知部は、前記負荷率算出部により算出された前記負荷率の中で最高の負荷率に対応する前記デマンドレスポンス情報を抽出することを特徴とする請求項１に記載の電力需要調整装置。 
【請求項３】
前記負荷率算出部は、１回目の処理では、前記第１の翌日の電力需要の推定値を基に、第２の翌日の電力需要予測を求め且つ前記負荷率を算出し、２回目以降の処理では、前記第１の翌日の電力需要の推定値に加えて、前記取得部が作成した前記翌日の蓄電池の充放電計画を基に第２の翌日の電力需要予測を求め且つ前記負荷率を算出することを特徴とする請求項１又は２に記載の電力需要調整装置。 
【請求項４】
前記取得部は、前記需要家毎の前記充放電計画を作成し、
前記負荷率算出部は、前記翌日の電力需要及び各前記需要家の前記充放電計画を基に、前記第２の翌日の電力需要予測を求め且つ前記負荷率を算出することを特徴とする請求項１〜３のいずれか一つに記載の電力需要調整装置。 
【請求項５】
予め決められた１又は複数の仮想的な需要家群に関する仮想充放電計画を作成する仮想計画作成部をさらに備え、
前記取得部は、前記仮想計画作成部から前記仮想充放電計画を取得して、取得した前記仮想充放電計画を前記充放電計画として前記負荷率算出部へ送信する
ことを特徴とする請求項１〜３のいずれか一つに記載の電力需要調整装置。 
【請求項６】
前記取得部は、前記需要家の平均である平均需要家、前記平均需要家よりも需要が大きい大需要家及び前記平均需要家よりも需要が小さい小需要家の前記充放電計画を作成することを特徴とする請求項５に記載の電力需要調整装置。 
【請求項７】
蓄電池の充放電に対するインセンティブの情報を含むデマンドレスポンス情報を用いない状態での、予め決められた複数の需要家が属するコミュニティにおける第１電力需要予測を取得する取得ステップと、
前記第１電力需要予測及び前記コミュニティにおける翌日の蓄電池の充放電計画を基に第２電力需要予測を求め、求めた前記第２電力需要予測から前記コミュニティの翌日の負荷率を算出する算出ステップと、
前記算出ステップにより算出された前記負荷率を基に、前記デマンドレスポンス情報を作成する情報作成ステップと、
前記情報作成ステップにより作成された前記デマンドレスポンス情報を基に作成された前記翌日の蓄電池の充放電計画を取得する計画取得ステップと、
前記算出ステップ、前記情報作成ステップ及び前記計画取得ステップを所定回数繰り返す繰返ステップと、
前記情報作成ステップにおいて作成された前記デマンドレスポンス情報の中からデマンドレスポンス情報を抽出し各前記需要家に通知する通知ステップと
を備えたことを特徴とする電力需要調整方法。 
【請求項８】
蓄電池の充放電に対するインセンティブの情報を含むデマンドレスポンス情報を用いない状態での、予め決められた複数の需要家が属するコミュニティにおける第１電力需要予測を取得する取得工程と、
前記第１電力需要予測及び前記コミュニティにおける翌日の蓄電池の充放電計画を基に第２電力需要予測を求め、求めた前記第２電力需要予測から前記コミュニティの翌日の負荷率を算出する算出工程と、
前記算出工程により算出された前記負荷率を基に、前記デマンドレスポンス情報を作成する情報作成工程と、
前記情報作成工程により作成された前記デマンドレスポンス情報を基に作成された前記翌日の蓄電池の充放電計画を取得する計画取得工程と、
前記算出工程、前記情報作成工程及び前記計画取得工程を所定回数繰り返す繰返工程と、
前記情報作成工程により作成された前記デマンドレスポンス情報の中からデマンドレスポンス情報を抽出し各前記需要家に通知する通知工程と
をコンピュータに実行させることを特徴とする電力需要調整プログラム。
【発明の詳細な説明】
【技術分野】
【０００１】
本発明は、電力需要調整装置、電力需要調整方法及び電力需要調整プログラムに関する。
【背景技術】
【０００２】
低炭素社会の実現やエネルギーの効率的な利用に向け、今後太陽光発電（ＰＶ：Photovoltaics）や蓄電池などのエネルギー機器を活用する需要家が増加していくことが想定される。需要家の蓄電池充放電が特定の時間帯に集中すると、その時間帯の電力需要が増大し、電力系統の負荷率が低下するおそれがある。電力系統の負荷率が低下した場合、電力系統の運用効率が低下してしまう。
【０００３】
そこで、需要家による蓄電池充放電の影響を緩和するために、複数の需要家（以下、「需要家群」という場合がある。）をコミュニティ化し、コミュニティの運用者と需要家の情報連系を用いて、コミュニティ全体の電力需要を調整する技術の開発が望まれる。なお、需要家とは、住宅、企業、ビルディング、工場等のように電力系統に接続される単位であり、該住宅、企業、ビルディング、工場等を管理する、電力会社と電力の需給契約を結んでいる個人、法人、団体等でもある。
【０００４】
コミュニティ全体の電力需要を調整する技術の一つとして、デマンドレスポンス（ＤＲ：Demand  Response）の活用が考えられる。ＤＲとは、経済的なメリットを提供することにより需要を調整する手法である。
【０００５】
従来、ＤＲとして時間帯別の料金を用いる方法と負荷削減などへのインセンティブを用いる方法が提案されている。インセンティブを用いる方法としては、例えば、需要家の蓄電池充放電にインセンティブやペナルティなどを与え、そのインセンティブやペナルティなどを契機として需要家に蓄電池充放電を行わせることで、需要家の蓄電池充放電を制御することが考えられる。
【０００６】
また、ＤＲの技術としては、需要逼迫時に気温によってインセンティブを決定する従来技術がある。また、一日の充電量及び放電量を事前に得られる条件下で、各蓄電池に充電するための時間帯毎の総充電電力曲線を決定し、その曲線と鏡像関係にある曲線にしたがって電気料金を決定する従来技術がある。
【先行技術文献】
【特許文献】
【０００７】
【特許文献１】特開２０１５−０１４９３５号公報
【特許文献２】特開２０１５−０１４８７６号公報
【非特許文献】
【０００８】
【非特許文献１】スマートグリッド実現に向けた電力系統技術調査専門委員会：「スマートグリッドを支える電力システム技術」，電気学会，２０１４
【発明の概要】
【発明が解決しようとする課題】
【０００９】
しかしながら、従来技術のようにＤＲを用いて需要家の蓄電池充放電を制御するとしても、インセンティブやペナルティの与え方によっては、蓄電池充放電の制御を適切に行うことが困難である。例えば、電気料金を調整することで蓄電池充放電を制御する場合、電気料金は蓄電池充放電に対して間接的であり、電気料金の調整により蓄電池充放電がどのように変化するのかを事前に知ることができないため、効果的に蓄電池充放電を制御する電気料金を決定することは困難であることが考えられる。これは、気温によってインセンティブを決定する従来技術や各蓄電池に充電するための時間帯毎の総充電電力曲線から電気料金を決める従来技術のいずれを用いても同様である。
【００１０】
開示の技術は、上記に鑑みてなされたものであって、効果的に蓄電池の充放電を制御する電力需要調整装置、電力需要調整方法及び電力需要調整プログラムを提供することを目的とする。
【課題を解決するための手段】
【００１１】
本願の開示する電力需要調整装置、電力需要調整方法及び電力需要調整プログラムは、一つの態様において、負荷率算出部は、蓄電池の充放電に対するインセンティブの情報を含むデマンドレスポンス情報を用いない状態での、予め決められた複数の需要家が属するコミュニティにおける第１の翌日の電力需要予測を取得し、前記第１の翌日の電力需要予測及び前記コミュニティにおける翌日の蓄電池の充放電計画を基に第２の翌日の電力需要予測を求め、求めた前記第２の翌日の電力需要予測から前記コミュニティの翌日の負荷率を算出する処理を行う。情報作成部は、前記負荷率算出部により求められた最新の第２の翌日の電力需要予測を基に前記デマンドレスポンス情報を作成する。計画取得部は、前記情報作成部により作成された最新の前記デマンドレスポンス情報を基に作成された前記翌日の蓄電池の充放電計画を取得し前記負荷率算出部へ送信する。通知部は、前記負荷率算出部が前記処理を所定回数繰り返した後に、前記処理毎に前記情報作成部が作成した前記デマンドレスポンス情報の中からデマンドレスポンス情報を抽出し各前記需要家に通知する。
【発明の効果】
【００１２】
本願の開示する電力需要調整装置、電力需要調整方法及び電力需要調整プログラムの一つの態様によれば、効果的に蓄電池の充放電を制御することができるという効果を奏する。
【図面の簡単な説明】
【００１３】
【図１】図１は、コミュニティの概略図である。
【図２】図２は、実施例１に係る電力需要調整装置及び需要家端末のブロック図である。
【図３】図３は、翌日の実電力需要予測の一例を表す図である。
【図４Ａ】図４Ａは、電力需要が最大値となる区分におけるインセンティブ及びペナルティを示す図である。
【図４Ｂ】図４Ｂは、電力需要が最小値となる区分におけるインセンティブ及びペナルティを示す図である。
【図５】図５は、実施例１に係る電力需要調整装置によるＤＲ情報作成処理のフローチャートである。
【図６】図６は、実施例２に係る電力需要調整装置及び需要家端末のブロック図である。
【図７】図７は、実施例２におけるコミュニティ全体の仮想的な充放電計画作成の概要を表す図である。
【図８】図８は、実施例２に係る電力需要調整装置による翌日のＤＲ情報作成処理のフローチャートである。
【発明を実施するための形態】
【００１４】
以下に、本願の開示する電力需要調整装置、電力需要調整方法及び電力需要調整プログラムの実施例を図面に基づいて詳細に説明する。なお、以下の実施例により本願の開示する電力需要調整装置、電力需要調整方法及び電力需要調整プログラムが限定されるものではない。
【実施例１】
【００１５】
図１は、コミュニティの概略図である。まず、図１を参照して、需要家２をグループ化したコミュニティ２００、そのコミュニティ２００への電力供給及びコミュニティ２００に属する各需要家２の管理について説明する。
【００１６】
上位系３は、発電所を有する電力会社や電気の小売業者といった電気事業者である。上位系３は、配電線４を用いて電力を各需要家２に送る。
【００１７】
需要家２には様々な種類があり、例えば、一戸建ての住宅、住居や商業施設などを有するビル及び工場などがある。本実施例では、主に、一戸建ての住宅や住居を有するビルなどを需要家２の例として説明する。
【００１８】
各需要家２は、配電線４により上位系３と接続されている。そして、各需要家２は、配電線４を用いて上位系３から送られてきた電力を使用する。
【００１９】
そして、各需要家２は、本実施例では、複数の需要家２をまとめた需要家群を１つのコミュニティ２００とする。コミュニティ２００に属する需要家２の選択方法には特に制限はない。例えば、コミュニティ２００に属する需要家２としては、電力供給元の上位系３が同じであれば、地理的に近い需要家２をまとめてもよいし、地理的な関係とは関係なく所定の条件を満たす需要家２をまとめてもよい。
【００２０】
コミュニティ運用者１は、各需要家２の電力需要を管理する管理会社などである。コミュニティ運用者１は、電気の小売業者などの電気事業者が運営してもよい。コミュニティ運用者１は、コミュニティ２００に属する各需要家２の電気料金の決定や電力需要に関する情報の提供などを行う。
【００２１】
ここで、コミュニティ２００における電力需要、特に時間毎の電力需要は、各需要家２におけるそれぞれの電気の使われ方によって変動する。コミュニティ２００の電力需要は、上位系３からコミュニティ２００へ供給される電気の量が一日を通して一定に近ければ負荷率が高くなる。これに対して、上位系３からコミュニティ２００へ供給される電気の量の変動が一日を通してバラつきが大きい場合、負荷率が低くなる。負荷率が低い場合、上位系３からの電力供給が変動するため、上位系３としては電力供給の効率が悪くなる。また、負荷率が低い場合、需要家２は、ピーク時に電力供給を上位系３から多く受けていることが考えられ、電気代が高くなるおそれがある。そのため、コミュニティ２００の電力需要の負荷率を向上させることが好ましい。
【００２２】
図２は、実施例１に係る電力需要調整装置及び需要家端末のブロック図である。電力需要調整装置１０は、例えば、コミュニティ運用者１が有する電力需要調整用のサーバである。需要家端末２０は、需要家２が有する情報処理端末である。
【００２３】
電力需要調整装置１０は、負荷率算出部１１、ＤＲ情報作成部１２、通信制御部１３及びＤＲ情報抽出部１４を有する。
【００２４】
電力需要調整装置１０は、ＣＰＵ（Central  Processing  Unit）、メモリ及びハードディスクなどの記録媒体（不図示）を有している。そして、記録媒体には、負荷率算出部１１、ＤＲ情報作成部１２、通信制御部１３及びＤＲ情報抽出部１４の機能を実現させるためのプログラムを含む各種プログラムが格納されている。ＣＰＵは、記録媒体に格納された各種プログラムを読み出して、メモリ上に展開し実行することで、負荷率算出部１１、ＤＲ情報作成部１２、通信制御部１３及びＤＲ情報抽出部１４の機能を実現する。
【００２５】
負荷率算出部１１は、コミュニティ２００における電力需要の統計情報を有する。また、負荷率算出部１１は、コミュニティ２００におけるＰＶ出力の統計情報を有する。
【００２６】
負荷率算出部１１は、コミュニティ２００における電力需要の統計情報、翌日の天気及び翌日の曜日などから、翌日のコミュニティ２００における電力需要の予測値を算出する。また、負荷率算出部１１は、コミュニティ２００におけるＰＶ出力の統計情報及び翌日の天気などから、翌日のコミュニティ２００におけるＰＶ出力予測値を算出する。
【００２７】
ここで、本実施例では、負荷率算出部１１は、１時間毎、すなわち、１日を２４区分に分けた各区分でのコミュニティ２００における電力需要の予測値及びＰＶ出力予測値を１日の電力需要の予測値及びＰＶ出力予測値として算出する。ただし、この区分はより細かくすることもでき、又より粗くすることもできる。１日を分割する区分が細かいほど精度の高い電力需要の予測値を算出することができる。
【００２８】
次に、負荷率算出部１１は、区分毎に電力需要の予測値からＰＶ出力予測値を減算し、コミュニティ２００による上位系３から供給される電力の需要の予測を求める。以下では、コミュニティ２００による上位系３から供給される電力の需要の予測を「実電力需要予測」という。特に、コミュニティ２００の電力需要の予測値及びＰＶ出力予測値から最初に負荷率算出部１１により算出された実電力需要予測を、「初期実電力需要予測」という。実電力需要予測も、本実施例では、１日を２４区分に分けた場合の各区分での上位系３から送られる電力のコミュニティ２００における需要として表される。負荷率算出部１１は、算出した初期実電力需要予測をＤＲ情報作成部１２へ出力する。
【００２９】
その後、負荷率算出部１１は、初期実電力需要予測の平均値を算出する。また、負荷率算出部１１は、初期実電力需要予測の最大値を特定する。そして、負荷率算出部１１は、初期実電力需要予測の平均値を初期実電力需要予測の最大値で除算し、コミュニティ２００の翌日の負荷率予測値を算出する。以下では、この最初に算出された負荷率予測値を、「初期負荷率予測値」という。
【００３０】
その後、負荷率算出部１１は、ＤＲ情報を用いて計画された各需要家２の翌日の蓄電池２２の充放電計画の入力を通信制御部１３から受ける。そして、負荷率算出部１１は、取得した各需要家２の翌日の蓄電池２２の充放電計画の値を区分毎に全て加算して、コミュニティ２００全体の蓄電池充放電計画を算出する。以下では、翌日のコミュニティ２００全体の蓄電池２２の充放電計画を、単に「翌日の蓄電池充放電計画」という。
【００３１】
次に、負荷率算出部１１は、算出した翌日の蓄電池充放電計画及び初期実電力需要予測から、蓄電池２２の充放電を加味した翌日の実電力需要予測を算出する。具体的には、負荷率算出部１１は、区分毎に、蓄電池充放電計画が充電の場合、実電力需要予測の値にその値を加算し、蓄電池充放電計画が放電の場合、実電力需要予測の値からその値を減算することで、蓄電池２２の充放電を加味した翌日の実電力需要予測を算出する。
【００３２】
その後、負荷率算出部１１は、蓄電池２２の充放電を加味した翌日の実電力需要予測の平均値及び最大値を求める。そして、負荷率算出部１１は、蓄電池２２の充放電を加味した翌日の実電力需要予測の平均値及び最大値を用いて、ＤＲ情報を提供した場合の負荷率予測値を算出する。
【００３３】
負荷率算出部１１は、１サイクル前の実電力需要予測に基づくＤＲ情報を提供した場合の各需要家２の翌日の蓄電池２２の充放電計画を通信制御部１３から取得することを繰り返す。そして、負荷率算出部１１は、翌日の実電力需要予測及び負荷率予測値の算出、並びに、翌日の実電力需要予測の出力を所定回数繰り返す。翌日の実電力需要予測の算出において、負荷率算出部１１は、初期実電力需要予測及び蓄電池２２の充放電計画を用いる。以下では、これらの処理をまとめて「負荷率予測値算出処理」という。
【００３４】
ここで、負荷率算出部１１は、負荷率予測値算出処理の繰り返し回数を増やすことで、負荷率予測値の確度を向上させることができる。ただし、繰り返し回数が一定以上を超えると、負荷率予測値の確度の向上は微増となる。そこで、繰り返し回数は、負荷率予測値の確度の上昇率及び処理負荷を考慮して決定されることが好ましい。本実施例では、統計的な検討を行い、３０回以上繰り返しても負荷率予測値の確度の向上はわずかになったため、負荷率算出部１１は、負荷率予測値算出処理を３０回繰り返すものとした。
【００３５】
負荷率算出部１１は、各サイクルで算出した負荷率予測値を記憶する。そして、負荷率算出部１１は、負荷率予測値算出処理を所定回数繰り返した後、負荷率予測値算出処理を停止する。その後、負荷率算出部１１は、記憶した負荷率予測値を全てＤＲ情報抽出部１４へ出力する。
【００３６】
ＤＲ情報作成部１２は、翌日の実電力需要予測を負荷率算出部１１から取得する。そして、ＤＲ情報作成部１２は、負荷率を向上させるためのＤＲ情報を作成する。
【００３７】
ここで、ＤＲ情報の作成について説明する。図３は、翌日の実電力需要予測の一例を表す図である。図３では、縦軸は電力需要を表し、横軸は時間を表す。ただし、図３では、滑らかな曲線として電力需要の変化を表しているが、実際のデータとしては、点線で区切られた区分毎に１つの電力需要の値を有する。図３は、一日の電力需要の変化を表す。図３に示すように、電力需要は、時間によって変動する。負荷率を下げるためには、電力需要の平均値と最大値との差を少なくするように電力需要を調整すればよい。
【００３８】
そこで、電力需要の平均値と最大値との差を少なくするようにするための方法の１つとして、電力需要の最大値を下げ、最小値を上げることが考えられる。すなわち、図３の実電力需要予測では、区分３０１における電力需要が最大であるので、区分３０１における電力需要を矢印３１１のように下げる。また、区分３０２における電力需要が最小であるので、区分３０２における電力需要を矢印３２１に示すように上げる。
【００３９】
ここで、需要家２が蓄電池２２への充電を行うと、上位系３に対する電力需要は増加する。これに対して、需要家２が蓄電池２２から放電を行うと、上位系３に対する電力需要は減少する。
【００４０】
このことから、上位系３に対する電力需要が最大値の場合に電力需要を下げるには、各需要家２に蓄電池２２から放電させることが好ましい。そこで、電力需要が最大値となる区分においては、例えば、図４Ａのようなインセンティブ及びペナルティが与えられる。図４Ａは、電力需要が最大値となる区分におけるインセンティブ及びペナルティを示す図である。図４Ａに示すように、上位系３に対する電力需要が最大値の区分では、充電に対してペナルティを与える。すなわち、上位系３に対する電力需要が最大値の区分では、蓄電池２２の充電を行った場合、需要家２からコミュニティ運用者１へ料金を支払わせる。また、上位系３に対する電力需要が最大値の区分では、放電に対してインセンティブを与える。すなわち、上位系３に対する電力需要が最大値の区分では、蓄電池２２から放電を行った場合、コミュニティ運用者１から需要家２へお金が支払われる。
【００４１】
これに対して、上位系３に対する電力需要が最小値の場合に電力需要を上げるには、各需要家２に蓄電池２２へ充電させることが好ましい。そこで、電力需要が最小値となる区分においては、例えば、図４Ｂのようなインセンティブ及びペナルティが与えられる。図４Ｂは、電力需要が最小値となる区分におけるインセンティブ及びペナルティを示す図である。図４Ｂに示すように、上位系３に対する電力需要が最小値の区分では、充電に対してインセンティブを与える。すなわち、上位系３に対する電力需要が最小値の区分では、蓄電池２２から充電を行った場合、コミュニティ運用者１から需要家２へお金が支払われる。また、上位系３に対する電力需要が最小値の区分では、放電に対してペナルティを与える。すなわち、上位系３に対する電力需要が最小値の区分では、蓄電池２２の放電を行った場合、需要家２からコミュニティ運用者１へ料金を支払わせる。
【００４２】
以上のようなことから、例えば、インセンティブだけを用いるＤＲ情報を作成し電力需要を制御する場合、ＤＲ情報作成部１２は、次のようにＤＲ情報を作成する。すなわち、ＤＲ情報作成部１２は、実電力需要予測値における電力需要が最大値となる区分において放電インセンティブを与え、電力需要が最小値となる区分において充電インセンティブを与えるように、ＤＲ情報を作成する。例えば、ＤＲ情報作成部１２は、放電インセンティブとして、電力需要が既定幅低下するようにインセンティブを与える。また、ＤＲ情報作成部１２は、充電インセンティブとして、電力需要が既定幅上昇するようにインセンティブを与える。既定幅とは、例えば、放電又は充電を行うことで各需要家２が１円儲かるようにした場合に、変化する電力需要の幅である。
【００４３】
ＤＲ情報作成部１２によりこのように作成されたＤＲ情報を需要家２に提供することで、電力需要の最大値を下げ、最小値を上げる方向に、コミュニティ２００の電力需要は制御される。これにより、コミュニティ２００に対する上位系３の負荷率が向上する。
【００４４】
ＤＲ情報作成部１２は、負荷率算出部１１による負荷率予測値算出処理の繰り返しのサイクル毎にＤＲ情報を作成する。そして、ＤＲ情報作成部１２は、作成したＤＲ情報を通信制御部１３へ出力する。また、ＤＲ情報作成部１２は、作成したＤＲ情報を記憶していく。そして、ＤＲ情報作成部１２は、負荷率算出部１１による負荷率予測値算出処理が終了すると、記憶したＤＲ情報をＤＲ情報抽出部１４へ出力する。
【００４５】
ここで、本実施例では、インセンティブのみを与える場合で説明したが、これに限らない。ＤＲ情報作成部１２は、電力需要の最大値を下げ最小値を上げるＤＲ情報であれば、ペナルティのみを与えるＤＲ情報を作成してもよいし、インセンティブ及びペナルティの両方を与えるＤＲ情報を作成してもよい。さらに、本実施例では、ＤＲ情報作成部１２は、電力需要の最大値を下げ最小値を上げるＤＲ情報を作成しているが、負荷率の向上を目的としたＤＲ情報であれば他の情報でもよい。
【００４６】
ＤＲ情報抽出部１４は、サイクル毎の負荷率の入力を負荷率算出部１１から受ける。また、ＤＲ情報抽出部１４は、サイクル毎のＤＲ情報の入力をＤＲ情報作成部１２から受ける。次に、ＤＲ情報抽出部１４は、サイクル毎の負荷率とＤＲ情報とを対応させる。
【００４７】
次に、ＤＲ情報抽出部１４は、最も負荷率が高いサイクルを特定する。そして、ＤＲ情報抽出部１４は、最も負荷率が高いサイクルのＤＲ情報を取得する。その後、ＤＲ情報抽出部１４は、最も負荷率が高いサイクルのＤＲ情報を翌日のＤＲ情報として通信制御部１３へ出力する。
【００４８】
ここで、負荷率算出部１１は、例えば本実施例では、負荷率予測値算出処理を３０回繰り返すが、最後に算出した負荷率が最も高い負荷率とは限らない。すなわち、途中で最も高い負荷率が算出されても、ＤＲ情報作成部１２は、その場合の実電力需要予測を変化させるＤＲ情報を作成して需要家２に提供してしまう。そのため、その後のサイクルでは負荷率が低下するおそれがあり、各サイクルのいずれの負荷率が最も高い負荷率となるかが分からない。そのため、ＤＲ情報抽出部１４は上記処理を行って、最も負荷率が高い場合のＤＲ情報を特定する。
【００４９】
通信制御部１３は、サイクル毎にＤＲ情報をＤＲ情報作成部１２から受ける。そして、通信制御部１３は、取得したＤＲ情報を各需要家端末２０の充放電計画作成部２１へ送信する。
【００５０】
その後、通信制御部１３は、翌日の蓄電池２２の充放電計画を各需要家２の充放電計画作成部２１から取得する。そして、通信制御部１３は、取得した各需要家２の翌日の蓄電池２２の充放電計画を負荷率算出部１１へ出力する。
【００５１】
さらに、所定回数のサイクル終了後、すなわち、本実施例では３０回のサイクル実行後、通信制御部１３は、翌日のＤＲ情報の入力をＤＲ情報抽出部１４から受ける。そして、通信制御部１３は、翌日のＤＲ情報を各需要家端末２０の充放電計画作成部２１へ送信する。
【００５２】
需要家２は、需要家端末２０、蓄電池２２及び監視センサ２３を有する。需要家端末２０は、充放電計画作成部２１を有する。
【００５３】
蓄電池２２は、ＰＶ装置及び上位系３から供給される電力を蓄電する。そして、放電が指示されると、蓄電池２２は、蓄えた電気を需要家２が使用する電気として放電する。
【００５４】
監視センサ２３は、蓄電池２２の状態を監視し、蓄電池２２の蓄電量を計測する。そして、監視センサ２３は、計測結果を充放電計画作成部２１へ出力する。
【００５５】
需要家端末２０は、例えばＣＰＵ、メモリ及びハードディスクを有するパーソナルコンピュータなどの情報処理装置である。充放電計画作成部２１は、ＣＰＵ及びメモリなどによって実現される。
【００５６】
充放電計画作成部２１は、蓄電池２２の容量の最小値、すなわち、蓄電量を減らすことのできる限界値を予め記憶している。この蓄電池２２の容量の最小値は、需要家２毎に設定される。例えば、ある需要家２では、蓄電量が２０％まで残っていればよいが、他の需要家２では、蓄電力が半分残っていなければならないなどである。また、充放電計画作成部２１は、時間毎の電気料金を予め記憶する。また、充放電計画作成部２１は、各時間帯における電気料金を記憶している。
【００５７】
充放電計画作成部２１は、蓄電池２２の蓄電量の入力を監視センサ２３から受ける。また、充放電計画作成部２１は、ＤＲ情報を電力需要調整装置１０の通信制御部１３から受信する。
【００５８】
そして、充放電計画作成部２１は、例えば遺伝的アルゴリズムなどを用いて、電気料金、ＤＲ情報及び蓄電池２２の容量の最小値から、１日を２４分割した区分毎の蓄電池２２の充電及び放電を翌日の充放電計画として求める。充放電計画作成部２１による充放電計画の作成方法の概略は以下のような手法となる。充放電計画作成部２１は、蓄電池２２の容量の最小値を維持しつつ、インセンティブ及び電気料金を考慮して支払料金が安くなるように充電及び放電を計画する。すなわち、充放電計画作成部２１は、充電実行時のインセンティブが大きく、料金が安い時間帯にフル充電を目指して充電の実行を計画し、放電実行時のインセンティブが大きく、料金が安い時間帯に蓄電池２２の容量の最小値を限度として放電の実行を計画する。このような需要家の電気料金を低減する充放電計画手法として、例えば「電力中央研究所報告  R13022：「需要家機器による太陽光発電余剰電力有効利用手法の改良−当日補正機能の追加と検証−」，電力中央研究所，2014」に記載された技術が活用できる。
【００５９】
そして、充放電計画作成部２１は、蓄電池２２の翌日の充放電計画を通信制御部１３へ送信する。
【００６０】
その後、充放電計画作成部２１は、翌日のＤＲ情報を電力需要調整装置１０の通信制御部１３から受信する。そして、充放電計画作成部２１は、受信した翌日のＤＲ情報を基に翌日の蓄電池２２の充放電計画を作成する。そして、充放電計画作成部２１は、翌日、作成した充放電計画にしたがって蓄電池２２の充放電を管理する。ここで、本実施例では、翌日の蓄電池２２の充放電の実際の管理も充放電計画作成部２１に行わせたが、これに限らない。例えば、充放電計画作成部２１は、受信した翌日のＤＲ情報をモニタなどに表示させることで、需要家２に通知する。そして、需要家２が、通知されたＤＲ情報を用いて、蓄電池２２の充放電を制御してもよい。
【００６１】
次に、図５を参照して、本実施例に係る電力需要調整装置１０によるＤＲ情報作成処理の流れを説明する。図５は、実施例１に係る電力需要調整装置によるＤＲ情報作成処理のフローチャートである。
【００６２】
負荷率算出部１１は、コミュニティ２００の翌日の電力需要及びＰＶ出力の予測値を取得する（ステップＳ１）。
【００６３】
次に、負荷率算出部１１は、コミュニティ２００の翌日の電力需要及びＰＶ出力の予測値から初期実電力需要予測を求める（ステップＳ２）。そして、負荷率算出部１１は、初期実電力需要予測をＤＲ情報作成部１２へ出力する。
【００６４】
負荷率算出部１１は、初期実電力需要予測又は翌日の実電力需要予測を用いて翌日の負荷率予測値を算出する（ステップＳ３）。また、負荷率算出部１１は、実電力需要予測をＤＲ情報作成部１２へ出力する。
【００６５】
ＤＲ情報作成部１２は、実電力需要予測の入力を負荷率算出部１１から受ける。そして、ＤＲ情報作成部１２は、取得した実電力需要予測を用いてＤＲ情報を作成する（ステップＳ４）。
【００６６】
負荷率算出部１１は、負荷率予測値算出処理を３０サイクル実行したか否かを判定する（ステップＳ５）。負荷率予測値算出処理を３０サイクル実行していない場合（ステップＳ５：否定）、通信制御部１３は、ＤＲ情報作成部１２から取得したＤＲ情報を各需要家２の需要家端末２０の充放電計画作成部２１へ送信する（ステップＳ６）。
【００６７】
充放電計画作成部２１は、ＤＲ情報を通信制御部１３から受信する。そして、充放電計画作成部２１は、電気料金、蓄電池２２の容量の最小値及びＤＲ情報から、蓄電池２２の翌日の充放電計画を作成する（ステップＳ７）。
【００６８】
そして、各需要家２の需要家端末２０における充放電計画作成部２１は、蓄電池２２の翌日の充放電計画を電力需要調整装置１０の通信制御部１３へ送信する（ステップＳ８）。
【００６９】
負荷率算出部１１は、既にＤＲ情報を提供した場合の蓄電池２２の翌日の充放電計画を取得する。次に、負荷率算出部１１は、コミュニティ２００全体の翌日の蓄電池充放電計画を算出する。そして、負荷率算出部１１は、翌日の蓄電池放充電計画及び初期実電力需要予測から翌日の実電力需要予測を求める（ステップＳ９）。その後、負荷率算出部１１は、ステップＳ３へ戻る。
【００７０】
これに対して、負荷率予測値算出処理を３０サイクル実行し終えた場合（ステップＳ５：肯定）、負荷率算出部１１は、算出した負荷率予測値をＤＲ情報抽出部１４へ出力する。また、ＤＲ情報作成部１２は、作成したＤＲ情報をＤＲ情報抽出部１４へ出力する。ＤＲ情報抽出部１４は、サイクル毎の負荷率予測値及びＤＲ情報を取得する。そして、ＤＲ情報抽出部１４は、最も負荷率が高くなるＤＲ情報を抽出する（ステップＳ１０）。
【００７１】
その後、ＤＲ情報抽出部１４は、抽出したＤＲ情報を翌日のＤＲ情報として、通信制御部１３を介して、各需要家端末２０の充放電計画作成部２１へ送信する（ステップＳ１１）。
【００７２】
以上に説明したように、本実施例に係る電力需要調整装置は、ＤＲ情報を需要家に提供することで、需要家における蓄電池の充放電を制御し、上位系に対する電力需要の負荷率を向上させている。特に、本実施例に係る電力需要調整装置は、需要家の充放電計画値を取得しながら、充放電に対して直接インセンティブやペナルティを与えている。これにより、効果的に蓄電池の充放電を制御することができる。
【００７３】
また、本実施例に係る電力需要調整装置は、インセンティブとペナルティを１日における区間の何れかに充てているので、１日を通して全体的な蓄電池の充放電を制御することができ、効果的に蓄電池の充放電を制御することができる。
【００７４】
さらに、本実施例に係る電力需要調整装置は、１日のトータルのインセンティブがプラスマイナス０になるようにインセンティブ及びペナルティを与えているので、需要家の損失が偏らないようにすることができる。
【実施例２】
【００７５】
図６は、実施例２に係る電力需要調整装置及び需要家端末のブロック図である。本実施例に係る電力需要調整装置１０は、仮想的な需要家群を用いて仮想的な充放電計画を作成することが実施例１と異なる。以下の説明では、実施例１と同様の各部の機能については説明を省略する。
【００７６】
本実施例に係る電力需要調整装置１０は、負荷率算出部１１、ＤＲ情報作成部１２、通信制御部１３、ＤＲ情報抽出部１４及び充放電計画作成部１５を有する。
【００７７】
その後、負荷率算出部１１は、翌日の電力需要及びＰＶ出力の予測値から初期実電力需要予測を求める。そして、負荷率算出部１１は、初期実電力需要予測をＤＲ情報作成部１２へ出力する。
【００７８】
その後、負荷率算出部１１は、平均需要家、小需要家及び大需要家の仮想的な蓄電池２２の翌日の充放電計画を充放電計画作成部１５から受ける。
【００７９】
ここで、平均需要家、小需要家及び大需要家とは、需要家２をモデル化した仮想的な需要家群である代表需要家の種類を表す。平均需要家は、需要家２の中で平均的な電力需要を有する需要家２のモデルとなる需要家である。また、小需要家は、需要家２の中で他の需要家２と比べて小さい電力需要を有する需要家２のモデルとなる需要家である。また、大需要家は、需要家２の中で他の需要家２と比べて大きい電力需要を有する需要家２のモデルとなる需要家である。
【００８０】
例えば、平均需要家、小需要家及び大需要家のそれぞれの数は以下の方法で算出される。全国の電力需要統計データが公開されている。そこで、全国の電力需要統計データから標準偏差が求められる。そして、求めた標準偏差を用いることで、需要家を平均需要家、小需要家及び大需要家の３グループに分割した場合の、小需要家及び大需要家の各電力需要の平均需要家の電力需要からのずれ幅が求められる。
【００８１】
また、取得した初期実電力需要予測をコミュニティ２００に属する全ての需要家２の数で除算して、初期実電力需要予測の平均が求まる。この初期実電力需要予測の平均が、平均需要家の実電力需要予測である。
【００８２】
また、平均需要家の実電力需要予測に対して、電力需要からのずれ幅を電力需要が増える方向に用いることで、大需要家の実電力需要予測が求まる。また、平均需要家の実電力需要予測に対して、電力需要からのずれ幅を電力需要が減る方向に用いることで、小需要家の実電力需要予測が求まる。
【００８３】
そして、このような実電力需要予測を有する平均需要家、小需要家及び大需要家は、統計データの中で正規分布にしたがい分布する。そこで、正規分布を用いて、コミュニティ２００における平均需要家、小需要家及び大需要家のそれぞれが存在する割合が算出される。そして、コミュニティ２００に属する需要家２の数に対して算出された割合を用いることで、コミュニティ２００の内の平均需要家、小需要家及び大需要家のそれぞれの数が求められる。負荷率算出部１１は、このように求められたコミュニティ２００における平均需要家、小需要家及び大需要家の数を記憶している。
【００８４】
負荷率算出部１１は、平均需要家、小需要家及び大需要家の仮想的な蓄電池２２の翌日の充放電計画のそれぞれに、各グループのコミュニティ２００における数を乗算して合計する。これにより、負荷率算出部１１は、翌日のコミュニティ２００全体の仮想的な蓄電池２２の翌日の充放電計画を求める。コミュニティ２００全体の仮想的な蓄電池２２の翌日の充放電計画を、以下では「仮想的な翌日の蓄電池充放電計画」という。
【００８５】
そして、負荷率算出部１１は、初期実電力需要予測に対して、仮想的な翌日の蓄電池充放電計画を用いることで、コミュニティ２００全体の翌日の実電力需要予測を求める。
【００８６】
そして、負荷率算出部１１は、求めた翌日の実電力需要予測をＤＲ情報作成部１２へ出力する。また、負荷率算出部１１は、求めた翌日の実電力需要予測から負荷率を算出する。
【００８７】
負荷率算出部１１は、上述した負荷率予測値算出処理を所定回数繰り返す。負荷率予測値算出処理を所定回数繰り返した後、負荷率算出部１１は、算出した負荷率をＤＲ情報抽出部１４へ出力する。
【００８８】
ＤＲ情報作成部１２は、翌日の実電力需要予測の入力を負荷率算出部１１から受ける。そして、ＤＲ情報作成部１２は、翌日の実電力需要予測からＤＲ情報を作成する。その後、ＤＲ情報作成部１２は、作成したＤＲ情報を記憶するとともに充放電計画作成部１５へ出力する。
【００８９】
さらに、ＤＲ情報作成部１２は、負荷率算出部１１による負荷率予測値算出処理が完了した場合、作成した全てのＤＲ情報をＤＲ情報抽出部１４へ出力する。
【００９０】
充放電計画作成部１５は、平均需要家、小需要家及び大需要家の充放電の統計情報を記憶している。また、充放電計画作成部１５は、電気料金及び平均需要家、小需要家及び大需要家のそれぞれの蓄電池２２の容量の最小値を記憶している。
【００９１】
充放電計画作成部１５は、ＤＲ情報作成部１２から翌日のＤＲ情報の入力を受ける。そして、充放電計画作成部１５は、記憶している統計情報に対して例えば遺伝的アルゴリズムなどを用いて、電気料金、ＤＲ情報及び蓄電池２２の容量の最小値から、平均需要家、小需要家及び大需要家それぞれの蓄電池２２の翌日の充放電計画を求める。
【００９２】
そして、充放電計画作成部１５は、平均需要家、小需要家及び大需要家それぞれの蓄電池２２の翌日の充放電計画を負荷率算出部１１へ出力する。
【００９３】
ＤＲ情報抽出部１４は、負荷率算出部１１から取得した負荷率及びＤＲ情報抽出部１４から取得したＤＲ情報を用いて翌日のＤＲ情報を決定し、通信制御部１３へ出力する。
【００９４】
通信制御部１３は、ＤＲ情報抽出部１４から取得した翌日のＤＲ情報を各需要家端末２０の充放電計画作成部２１へ送信する。
【００９５】
充放電計画作成部２１は、受信した翌日のＤＲ情報を用いて蓄電池２２の翌日の充放電計画を作成する。そして、充放電計画作成部２１は、作成した充放電計画に基づき、翌日の蓄電池２２の充電及び放電を制御する。
【００９６】
ここで、図７を参照して、本実施例に係る電力需要調整装置１０によるコミュニティ２００全体の仮想的な翌日の充放電計画の作成についてまとめて説明する。図７は、実施例２におけるコミュニティ全体の仮想的な充放電計画作成の概要を表す図である。
【００９７】
充放電計画作成部１５は、処理工程４０１、処理工程４０２及び処理工程４０３で示すように、全国の電力需要統計データの標準偏差から求まる実電力需要４１１〜４３１をそれぞれ有する平均需要家、小需要家及び大需要家を想定した統計データを有する。このような仮想的な代表需要家を効力することで、充放電計画作成部１５は、需要のバラつきを考慮した充放電計画を作成することができる。
【００９８】
充放電計画作成部１５は、ＤＲ情報４００をＤＲ情報作成部１２から取得する。そして、充放電計画作成部１５は、電気料金、ＤＲ情報４００及び統計データを用いて、平均需要家の仮想的な充放電計画４１２、小需要家の仮想的な充放電計画４２２及び大需要家の仮想的な充放電計画４３２を作成する。その後、充放電計画作成部１５は、平均需要家の仮想的な充放電計画４１２、小需要家の仮想的な充放電計画４２２及び大需要家の仮想的な充放電計画４３２を負荷率算出部１１へ出力する。
【００９９】
負荷率算出部１１は、平均需要家の仮想的な充放電計画４１２、小需要家の仮想的な充放電計画４２２及び大需要家の仮想的な充放電計画４３２を充放電計画作成部１５から取得する。そして、負荷率算出部１１は、平均需要家の仮想的な充放電計画４１２に平均需要家の数を乗算し、平均需要家全体の充放電計画を求める。また、負荷率算出部１１は、小需要家の仮想的な充放電計画４２２に小需要家の数を乗算し、小需要家全体の充放電計画を求める。また、負荷率算出部１１は、大需要家の仮想的な充放電計画４３２に大需要家の数を乗算し、大需要家全体の充放電計画を求める。
【０１００】
そして、負荷率算出部１１は、平均需要家、小需要家及び大需要家全体のそれぞれの翌日の電力需要予測を合計して、コミュニティ２００全体の翌日の充放電計画４０４を求める。
【０１０１】
次に、図８を参照して本実施例に係る電力需要調整装置１０によるＤＲ情報作成処理の流れについて説明する。図８は、実施例２に係る電力需要調整装置による翌日のＤＲ情報作成処理のフローチャートである。
【０１０２】
負荷率算出部１１は、コミュニティ２００の翌日の電力需要及びＰＶ出力の予測値を取得する（ステップＳ１０１）。
【０１０３】
次に、負荷率算出部１１は、コミュニティ２００の翌日の電力需要及びＰＶ出力の予測値から初期実電力需要予測を求める（ステップＳ１０２）。そして、負荷率算出部１１は、初期実電力需要予測をＤＲ情報作成部１２へ出力する。
【０１０４】
負荷率算出部１１は、初期実電力需要予測又は翌日の実電力需要予測を用いて翌日の負荷率予測値を算出する（ステップＳ１０３）。そして、負荷率算出部１１は、実電力需要予測をＤＲ情報作成部１２へ出力する。
【０１０５】
ＤＲ情報作成部１２は、実電力需要予測の入力を負荷率算出部１１から受ける。そして、ＤＲ情報作成部１２は、取得した実電力需要予測を用いてＤＲ情報を作成する（ステップＳ１０４）。
【０１０６】
負荷率算出部１１は、負荷率予測値算出処理を３０サイクル実行したか否かを判定する（ステップＳ１０５）。負荷率予測値算出処理を３０サイクル実行していない場合（ステップＳ１０５：否定）、通信制御部１３は、ＤＲ情報作成部１２から取得したＤＲ情報を充放電計画作成部１５へ送信する。
【０１０７】
充放電計画作成部１５は、ＤＲ情報を通信制御部１３から受信する。そして、充放電計画作成部１５は、電気料金、蓄電池２２の容量の最小値及びＤＲ情報から、平均需要家、小需要家及び大需要家の蓄電池２２の仮想的な翌日の充放電計画を作成する（ステップＳ１０６）。そして、充放電計画作成部１５は、平均需要家、小需要家及び大需要家の蓄電池２２の仮想的な翌日の充放電計画を負荷率算出部１１へ出力する。
【０１０８】
負荷率算出部１１は、平均需要家、小需要家及び大需要家の蓄電池２２の仮想的な翌日の充放電計画を取得する。そして、負荷率算出部１１は、コミュニティ２００全体の翌日の蓄電池充放電計画を作成する（ステップＳ１０７）。
【０１０９】
次に、負荷率算出部１１は、初期実電力需要予測及び翌日の蓄電池充放電計画からコミュニティ２００全体の翌日の実電力需要予測を求める（ステップＳ１０８）。その後、負荷率算出部１１は、ステップＳ１０３へ戻る。
【０１１０】
これに対して、負荷率予測値算出処理を３０サイクル実行し終えた場合（ステップＳ１０５：肯定）、負荷率算出部１１は、算出した負荷率予測値をＤＲ情報抽出部１４へ出力する。また、ＤＲ情報作成部１２は、作成したＤＲ情報をＤＲ情報抽出部１４へ出力する。ＤＲ情報抽出部１４は、サイクル毎の負荷率予測値及びＤＲ情報を取得する。そして、ＤＲ情報抽出部１４は、最も負荷率が高くなるＤＲ情報を抽出する（ステップＳ１０９）。
【０１１１】
その後、ＤＲ情報抽出部１４は、抽出したＤＲ情報を翌日のＤＲ情報として、通信制御部１３を介して、各需要家端末２０の充放電計画作成部２１へ送信する（ステップＳ１１０）。
【０１１２】
以上に説明したように、本実施例に係る電力需要調整装置は、ＤＲ情報を基に代表需要家毎の蓄電池の仮想的な充放電計画を作成し、その充放電計画を用いて翌日の実電力需要予測を求める。これにより、需要家から蓄電池の充放電計画を実際に取得しなくても、効果的なＤＲ情報を作成することができる。
【０１１３】
また、実際に全ての需要家に対して翌日をＤＲ情報を送信し、そのＤＲ情報を基に作成された充放電計画を取得することは、処理負荷が高くなるおそれがある。これに対して、本実施例に係る電力需要調整装置は、仮想的に充放電計画を作成することで、処理負荷の上昇を抑えることができる。
【０１１４】
さらに、代表需要家として需要のバラつきを考慮して、複数種類の需要家群を用いることで、よりコミュニティの実情に沿った充放電計画を作成することができ、より効果的なＤＲ情報を作成することができる。
【０１１５】
ここで、本実施例では、バラつきを考慮するため３種類の需要家群を想定し、需要家群毎に充放電計画を作成した。ただし、この需要家群の種類は特に限定はなく、バラつきの考慮の要求が低い場合、１又は２種類の需要家群を想定してよく、またよりバラつきを正確に考慮する場合には、より多くの種類の需要家群を想定してもよい。
【符号の説明】
【０１１６】
１  コミュニティ運用者
２  需要家
３  上位系
４  配電線
１０  電力需要調整装置
１１  負荷率算出部
１２  ＤＲ情報作成部
１３  通信制御部
１４  ＤＲ情報抽出部
１５  充放電計画作成部
２０  需要家端末
２１  充放電計画作成部
２２  蓄電池
２３  監視センサ
２００  コミュニティ
【図１】
0006549896.tif 000002
【図２】
0006549896.tif 000003
【図３】
0006549896.tif 000004
【図４Ａ】
0006549896.tif 000005
【図４Ｂ】
0006549896.tif 000006
【図５】
0006549896.tif 000007
【図６】
0006549896.tif 000008
【図７】
0006549896.tif 000009
【図８】
0006549896.tif 000010